(57)【要約】【課題】乗員の頭部をソフトに保護することが可能なエアバッグを提供すること。【解決手段】座席に着座した乗員ＭＤの前方側において、折り畳まれた状態で収納部位に収納され、乗員を保護可能に膨張するエアバッグ２０。バッグ本体２１と、バッグ本体内に配置されるテザー４８と、を備える。バッグ本体が、膨張完了時にハンドル側に配置されて取付部２８を有する車体側壁部２３と、膨張完了時に乗員側に配置される乗員側壁部３５と、を備える。乗員側壁部が、外形形状を略円形とされるとともに、それぞれ、別体の基材から構成されて、外周縁側部３７と、中央側部３８と、外周縁側部と中央側部との間に配置される中間部３９と、を備える。中央側部の外周縁３８ａが、バッグ本体の膨張完了時に、中央側部の外周縁側と取付部とを連結するテザーによって牽引されて、外周縁側部の内縁３７ａよりも取付部側に、配設される。【選択図】図１０
2020164000.tif 000002
【特許請求の範囲】
【請求項１】
座席に着座した乗員の前方側において、折り畳まれた状態で収納部位に収納され、前記乗員を保護可能に膨張するエアバッグであって、
内部に膨張用ガスを流入させて膨張するバッグ本体と、該バッグ本体内に配置されて前記バッグ本体の膨張完了形状を規制するテザーと、を備える構成とされ、
前記バッグ本体が、膨張完了時に前記収納部位側に配置されるとともに前記収納部位に取り付けられる取付部を有する車体側壁部と、膨張完了時に乗員側に配置されて前記乗員を受け止める乗員側壁部と、を備える構成とされ、
該乗員側壁部が、外形形状を略円形とされるとともに、それぞれ、別体の基材から構成されて、
膨張完了時に外周縁側に配置される略円環状の外周縁側部と、
膨張完了時に中央側に配置されて略円形状とされる中央側部と、
前記外周縁側部と前記中央側部との間に配置される略円環状とされて、内縁を前記中央側部の外周縁に結合され、外縁を前記外周縁側部の内縁に結合される中間部と、
を備える構成とされ、
前記テザーが、前記中央側部の外周縁側と、前記取付部側と、を連結するように、配設され、
前記中央側部の外周縁が、前記バッグ本体の膨張完了時に、前記テザーによって牽引されて、前記外周縁側部の内縁よりも前記取付部側に、配設されることを特徴とするエアバッグ。
【請求項２】
前記中間部が、前記外周縁側部の内縁に結合される前記外縁と、前記中央側部の外周縁に結合される前記内縁と、の間の幅寸法を、膨張完了時の前記外周縁側部の内縁と前記中央側部の外周縁との間の離隔距離よりも、大きな寸法に、設定されていることを特徴とする請求項１に記載のエアバッグ。
【請求項３】
前記バッグ本体が、前記車体側壁部と、前記乗員側壁部と、前記車体側壁部と前記乗員側壁部との外周縁相互を連結する側壁部と、を有して、膨張完了形状を略柱状とされていることを特徴とする請求項１または２に記載のエアバッグ。
【請求項４】
前記エアバッグが、操舵時に把持するハンドルに搭載されて、膨張完了時に、前記ハンドルの上面を略全面にわたって覆い可能に構成されることを特徴とする請求項１乃至３のいずれか１項に記載のエアバッグ。
【発明の詳細な説明】
【技術分野】
【０００１】
本発明は、座席に着座した乗員の前方側において、折り畳まれた状態で収納部位に収納され、乗員を保護可能に膨張するエアバッグに関する。
【背景技術】
【０００２】
従来、エアバッグとしては、ハンドル用のエアバッグであって、ハンドルの上面を略全面にわたって覆うように円錐台形状に膨張する構成のものがあった。具体的には、エアバッグは、膨張完了時にハンドル側に配置される略円形の車体側壁部と、膨張完了時に運転者側に配置されて外径寸法を車体側壁部よりも大きく設定される略円形の運転者側壁部と、車体側壁部と運転者側壁部とを連結する側壁部と、を有して、膨張完了形状を運転者側に向かって拡径されるような略円錐台形状とされていた（例えば、特許文献１参照）。
【先行技術文献】
【特許文献】
【０００３】
【特許文献１】特開２０１８−２０７３７公報
【発明の概要】
【発明が解決しようとする課題】
【０００４】
しかし、この従来のハンドル用のエアバッグでは、膨張完了時に、運転者側壁部が全面にわたって略平板状に配置されることから、乗員としての運転者の頭部をソフトに保護する点に、改善の余地があった。
【０００５】
本発明は、上述の課題を解決するものであり、乗員の頭部をソフトに保護することが可能なエアバッグを提供することを目的とする。
【課題を解決するための手段】
【０００６】
本発明に係るエアバッグは、座席に着座した乗員の前方側において、折り畳まれた状態で収納部位に収納され、乗員を保護可能に膨張するエアバッグであって、
内部に膨張用ガスを流入させて膨張するバッグ本体と、バッグ本体内に配置されてバッグ本体の膨張完了形状を規制するテザーと、を備える構成とされ、
バッグ本体が、膨張完了時に収納部位側に配置されるとともに収納部位に取り付けられる取付部を有する車体側壁部と、膨張完了時に乗員側に配置されて乗員を受け止める乗員側壁部と、を備える構成とされ、
乗員側壁部が、外形形状を略円形とされるとともに、それぞれ、別体の基材から構成されて、
膨張完了時に外周縁側に配置される略円環状の外周縁側部と、
膨張完了時に中央側に配置されて略円形状とされる中央側部と、
外周縁側部と中央側部との間に配置される略円環状とされて、内縁を中央側部の外周縁に結合され、外縁を外周縁側部の内縁に結合される中間部と、
を備える構成とされ、
テザーが、中央側部の外周縁側と、取付部側と、を連結するように、配設され、
中央側部の外周縁が、バッグ本体の膨張完了時に、テザーによって牽引されて、外周縁側部の内縁よりも取付部側に、配設されることを特徴とする。
【０００７】
本発明のエアバッグでは、乗員側壁部において、中央側に配設される中央側部が、膨張完了時に、外周縁を、外周縁側に配設される外周縁側部の内縁よりも、取付部側に位置させるようにして、配設されることとなる。すなわち、本発明のエアバッグでは、乗員側壁部において、中央側部と外周縁側部との間に配置される中間部が、内縁側を外縁側より下方に配置させて、内縁と外縁との間を乗員側に膨らませることとなる。このような膨張状態の中間部が乗員の頭部を受け止める際には、内縁と外縁との間を運転者側に膨らませた状態から、取付部側に凹ませる状態となるが、乗員側壁部の中央から外周側への断面形状を見れば、中間部の内縁と外縁との間に、皺を生じるように凹ませる挙動となり、エアバッグ自体の内圧に対抗して、中間部を凹ませるだけで、中間部自体にその膜長を広げるような張力を発揮させ難いことから、小さな反力として、乗員の頭部を受け止めることができる。一方、膨張完了時のエアバッグの外周縁側部で乗員の胸部を受ける場合には、外周縁側部を膨らませた状態を取付部側に凹ませる挙動は、外周縁側部の外径寸法を広げる挙動となって、エアバッグ自体の内圧に対抗するととともに、外周縁側部の外縁側の膜長を円周方向に沿って広げる反力が加わり、大きな反力によって、運動エネルギーの高い乗員の胸部を受け止めることができる。
【０００８】
したがって、本発明のエアバッグでは、乗員の頭部をソフトに保護することができ、そして、運動エネルギーの高い乗員の胸部等の上半身を的確に保護できる。
【０００９】
また、本発明のエアバッグにおいて、中間部において、外周縁側部の内縁に結合される外縁と、中央側部の外周縁に結合される内縁と、の間の幅寸法を、膨張完了時の外周縁側部の内縁と中央側部の外周縁との間の離隔距離よりも、大きな寸法に、設定すれば、エアバッグの膨張完了時に、中間部が、外周縁側部と中央側部との間において、円環状に上方への突出量を大きくできることから、乗員の頭部の受止時の受止ストロークを大きく確保できて、前進移動する乗員の頭部を、上方に突出している中間部によって、一層ソフトに受け止めることが可能となって、好ましい。
【００１０】
さらに、上記構成のエアバッグにおいて、バッグ本体を、車体側壁部と、乗員側壁部と、車体側壁部と乗員側壁部との外周縁相互を連結する側壁部と、を有して、膨張完了形状を略柱状とすれば、乗員受止時、側壁部が、外径寸法を広げるように膨らんで、エアバッグにおける乗員の運動エネルギーの吸収量を増加させることができて、乗員の上半身全体を、的確に拘束することが可能となって、好ましい。
【００１１】
さらにまた、本発明のエアバッグを、操舵時に把持するハンドルに搭載し、膨張完了時に、ハンドルの上面を略全面にわたって覆い可能な構成とすれば、膨張を完了させたエアバッグによって、乗員としての運転者の頭部を胸部とを、円滑に受け止めることができて、好ましい。
【図面の簡単な説明】
【００１２】
【図１】本発明のエアバッグを使用したハンドル用エアバッグ装置が搭載されるハンドルの概略平面図である。
【図２】実施形態のハンドル用エアバッグ装置の概略縦断面図である。
【図３】実施形態のエアバッグを単体で膨張させた状態の後上方側から見た概略斜視図である。
【図４】図３のエアバッグを前下方側から見た概略斜視図である。
【図５】図３のエアバッグの概略底面図である。
【図６】図５のVI−VI部位の断面図である。
【図７】図５のVII−VII部位の断面図である
【図８】実施形態のエアバッグにおいて、運転者側壁部を平らに展開した状態と、膨張完了状態と、を示す部分拡大概略断面図である。
【図９】実施形態のエアバッグを構成する基材を並べた状態の平面図である。
【図１０】実施形態のハンドル用エアバッグ装置において、エアバッグが膨張を完了させた状態の概略縦断面図である。
【図１１】実施形態のハンドル用エアバッグ装置において、膨張を完了させたエアバッグが運転者を受け止める状態を説明する概略図である。
【発明を実施するための形態】
【００１３】
以下、本発明の一実施形態を図面に基づいて説明する。実施形態では、図１，２に示すようなハンドル用のエアバッグ装置Ｍに使用されるエアバッグ２０を例に採り、説明する。エアバッグ装置Ｍを搭載するハンドルＨは、図示しない座席に着座した乗員としての運転者ＭＤの前方側に配置されるもので（図１１参照）、図１，２に示すように、ハンドル本体１と、ハンドル本体１の中央のボス部Ｂの上部に配置されるエアバッグ装置Ｍと、を備えて構成される。なお、実施形態において、前後・上下・左右の方向は、特に断らない限り、車両に搭載されたハンドルＨの直進操舵時を基準とするものであり、ハンドルＨを組み付けるシャフトＳＳ（図２参照）の軸方向に沿った上下を上下方向とし、シャフトＳＳの軸直交方向である車両の前後を前後方向とし、シャフトＳＳの軸直交方向である車両の左右を左右方向として、前後・上下・左右の方向を示すものである。
【００１４】
ハンドル本体１は、図１，２に示すように、運転者ＭＤの把持する把持部Ｇと、中央付近に配置されてシャフトＳＳに締結されるボス部Ｂと、把持部Ｇとボス部Ｂとを連結するスポーク部Ｓと、を備えている。把持部Ｇ（ＧＬ，ＧＲ）は、ボス部Ｂの左方と右方とに配設されるもので、それぞれ、ハンドル本体１を上方から見た状態において、前後の中央側を左右の外方に突出させるように、略円弧状に湾曲して形成されている。スポーク部Ｓ（ＳＬ，ＳＲ）は、把持部Ｇ（ＧＬ，ＧＲ）の後端とボス部Ｂとを連結するように、前後方向に対して傾斜するように配置されている。また、ハンドル本体１は、図１，２に示すように、把持部Ｇ、ボス部Ｂ、スポーク部Ｓの各部を連結するように配置されて、アルミニウム合金等の金属からなる芯金３を、備えている。芯金３における把持部Ｇの部位と、スポーク部Ｓにおける把持部Ｇ側の部位と、には、合成樹脂製の被覆層５が、被覆されている。また、芯金３におけるボス部Ｂの部位には、図２に示すように、シャフトＳＳを挿入させてナットＮ止めするための鋼製のボス４が、配設されている。また、ハンドル本体１の下部には、ボス部Ｂの下方を覆う合成樹脂製のロアカバー６が、配設されている。実施形態では、ハンドルＨ（ハンドル本体１）は、図１に示すように、上方から見た状態において、前後方向側の幅寸法Ｗ１を、左右方向側の幅寸法Ｗ２よりも小さく設定されるように、構成されている。詳細には、ハンドルＨは、円環状のリング（把持部）を備える一般的なハンドル（ステアリングホイール）と比較して、前側の領域と後側の領域とを切り欠かれるようにして、前後方向側の幅寸法を小さく設定されている。
【００１５】
エアバッグ装置Ｍは、図１に示すように、ハンドル本体１（ハンドルＨ）の前後左右の略中央に位置するボス部Ｂに配置されるもので、図２に示すように、折り畳まれて収納されるエアバッグ２０と、エアバッグ２０に膨張用ガスを供給するインフレーター１１と、エアバッグ２０とインフレーター１１とを収納して保持する収納部位としてのケース１２と、折り畳まれたエアバッグ２０を覆うエアバッグカバー１４と、エアバッグ２０とインフレーター１１とをケース１２に取り付けるためのリテーナ１０と、を備えている。すなわち、エアバッグ２０は、後述する取付部２８（リテーナ１０と一致）を、このハンドル本体１における前後左右の略中央となる位置に、取り付けられる構成である（図１参照）。
【００１６】
インフレーター１１は、図２に示すように、複数のガス吐出口１１ｂを有した略円柱状の本体部１１ａと、インフレーター１１をケース１２に取り付けるためのフランジ部１１ｃと、を備えている。フランジ部１１ｃには、リテーナ１０の図示しない各ボルトを貫通させるための図示しない貫通孔が、形成されている。
【００１７】
収納部位としてのケース１２は、板金製として、図２に示すように、インフレーター１１を下方から挿入させて取り付ける略長方形板状の底壁部１２ａと、底壁部１２ａの外周縁から上下に延びる周壁部１２ｂと、を備えている。周壁部１２ｂの上端には、後方へ延びる取付片１２ｃが、形成され（図１参照）、この取付片１２ｃには、図示しないホーンスイッチ機構の取付基板が取り付けられている。そして、この図示しない取付基板や別の取付部材等を利用して、ケース１２がハンドル本体１の芯金３に固定され、エアバッグ装置Ｍが、シャフトＳＳに装着済みのハンドル本体１のボス部Ｂの上部に搭載されることとなる。また、ケース１２の周壁部１２ｂには、リベット１５等を利用して、エアバッグカバー１４の側壁部１４ｃが、取り付けられている（図２参照）。実施形態の場合、エアバッグ２０とインフレーター１１とは、エアバッグ２０内に配置させたリテーナ１０の図示しないボルトを取付手段として、この図示しないボルトを、エアバッグ２０の流入用開口２７の周縁における取付部２８の部位に形成される取付孔２８ａ、ケース１２の底壁部１２ａ、及び、インフレーター１１のフランジ部１１ｃを、貫通させて、図示しないナット止めすることにより、ケース１２の底壁部１２ａに取り付けられている。
【００１８】
エアバッグカバー１４は、合成樹脂製として、ケース１２に収納されたエアバッグ２０の上方を覆う天井壁部１４ａと、天井壁部１４ａの外周縁付近から下方に延びる略四角筒形状の側壁部１４ｃと、を備えている。天井壁部１４ａには、膨張するエアバッグ２０に押されて前後に開く２枚の扉部１４ｂ，１４ｂが、形成されている。
【００１９】
エアバッグ２０は、乗員としての運転者ＭＤを保護可能に、ハンドルＨの上面側を全面にわたって覆うように膨張する構成とされるもので（図１，２の二点鎖線及び図１０参照）、図３〜７に示すように、袋状のバッグ本体２１と、バッグ本体２１内に流入する膨張用ガスを整流する整流布４５と、バッグ本体２１内に配置されてバッグ本体２１の膨張完了形状を規制するテザー４８と、を備える構成とされている。
【００２０】
バッグ本体２１は、図１，２の二点鎖線及び図１０に示すように、膨張完了時に、ハンドル本体１の上面を略全面にわたって覆うように配設されるもので、膨張完了時にハンドル本体１側（収納部位側）に配置される車体側壁部２３と、膨張完了時に乗員としての運転者ＭＤ側に配置される運転者側壁部３５（乗員側壁部）と、車体側壁部２３と運転者側壁部３５との外周縁２４，３５ａ相互を連結する側壁部３０と、を有して、膨張完了形状を略円柱状とされている。
【００２１】
車体側壁部２３は、後述する車体側パネル５５から形成されるもので、実施形態の場合、図５に示すように、外形形状を、前縁２４ａ側を幅広とし、後縁２４ｄ側にかけて狭幅とされる略台形形状とされている。詳細には、車体側壁部２３は、前縁２４ａと左縁２４ｂと右縁２４ｃとを、外方に向かって僅かに突出させるように湾曲させ、後縁２４ｄを、左右方向に略沿った直線状として、構成されている。この車体側壁部２３は、バッグ本体２１の膨張完了時に、ハンドル本体１の上面を全面にわたって覆うように構成され（図１の二点鎖線及び図１０参照）、左右の略中央であって、前後の中央より前側となる位置に、インフレーター１１の本体部１１ａを下方から挿入させて、インフレーター１１のガス吐出口１１ｂから吐出される膨張用ガスを内部に流入させるための流入用開口２７が、略円形に開口して形成されている（図４，５参照）。また、実施形態のバッグ本体２１では、車体側壁部２３における流入用開口２７の周縁を、ケース１２（収納部位）に取り付けられる取付部２８としており、この取付部２８には、リテーナ１０の図示しないボルトを挿通させるための取付孔２８ａが、４個形成されている（図４，５参照）。
【００２２】
車体側壁部２３は、上述したごとく、流入用開口２７を、前後の中央よりも前側に位置させるように構成されており、バッグ本体２１の膨張完了時に上方側から見た状態において、略左右対称形とされるとともに、ハンドル本体１からの突出量を、左右方向側への突出量Ｔ１よりも、後方側への突出量Ｔ２を大きくするように、構成されている（図１参照）。さらに詳細に説明すれば、車体側壁部２３は、膨張完了時のエアバッグ２０を下方側から見た状態（膨張完了時に上方側から見た状態と一致）においての外形形状を、図５に示すように、後縁２４ｄを、流入用開口２７（取付部２８）の中央を中心Ｃとして左縁２４ｂ若しくは右縁２４ｃを通るような円弧Ｌ１（図５の二点鎖線参照）よりも後方に位置させるとともに、この後縁２４ｄと左縁２４ｂ，右縁２４ｃとの交点（後縁２４ｄの左端２４ｄａと右端２４ｄｂ）近傍の領域を、それぞれ、取付部２８（流入用開口２７）から半径方向（左斜め後方と右斜め後方）に突出する張出部２５，２５として、円弧Ｌ１よりも外方に位置させるように、構成されている。実施形態の場合、車体側壁部２３（車体側パネル５５）は、平らに展開した状態での左右方向側の幅寸法Ｗ３（図９参照）を、ハンドル本体１の左右方向側の幅寸法Ｗ２（図１参照）の１０／９程度に、設定され、流入用開口２７の中心Ｃと後縁２４ｄとの離隔距離Ｔ３を、流入用開口２７の中心Ｃと左縁２４ｂ（右縁２４ｃ）との離隔距離Ｔ４の７／６程度に、設定されている（図９参照）。また、車体側壁部２３（車体側パネル５５）は、流入用開口２７の中心Ｃと前縁２４ａとの離隔距離Ｔ５を、流入用開口２７の中心Ｃと後縁２４ｄとの離隔距離Ｔ３の４／７程度に設定されている（図９参照）。
【００２３】
乗員側壁部としての運転者側壁部３５は、外形形状を略円形とされている。この運転者側壁部３５は、図３，６，７に示すように、それぞれ、別体の基材から構成されて、膨張完了時に外周縁３５ａ側に配置される略円環状の外周縁側部３７と、膨張完了時に中央側に配置されて略円形状とされる中央側部３８と、外周縁側部３７と中央側部３８との間に配置される略円環状の中間部３９と、を備える構成とされている。外周縁側部３７は、全周にわたって幅寸法を略一定として構成されている。実施形態の場合、中間部３９は、図６，７に示すように、バッグ本体２１の膨張完了時に、外周縁側部３７及び中央側部３８よりも運転者側（上方）に突出するように、凸状に配置される構成である。この中間部３９は、図３に示すように、バッグ本体２１の膨張完了時に、突出量を全周にわたって略一定として円環状に突出するとともに、領域内にしわを生じさせるようにして、配置される。中央側部３８は、外周縁３８ａをテザー４８によって取付部２８側に牽引されるもので、バッグ本体２１の膨張完了時に、外周縁３８ａを、外周縁側部３７の内縁３７ａよりも取付部２８側（ハンドル本体１側）に配置させるように、構成されている。すなわち、実施形態のエアバッグ２０では、バッグ本体２１の膨張完了時に、中央側部３８は、外周縁側部３７よりも取付部２８側となる位置に、配設され、中央側部３８の周囲に、外周縁側部３７よりも運転者側に突出する中間部３９が、中央側部３８の周囲を全周にわたって囲むように、配設される（図６，７参照）。
【００２４】
運転者側壁部３５は、外周縁側部３７（後述する外周縁部構成パネル６１）の内縁３７ａ（６０ａ）と中間部３９（後述する中間部構成パネル６７）の外縁３９ａ（６７ａ）とを結合させ、中央側部３８（後述する中央側部構成パネル６３における本体部６４）の外周縁３８ａ（６４ａ）と中間部３９（中間部構成パネル６７）の内縁３９ｂ（６７ｂ）とを結合させることにより、構成されるもので、中央側部３８と中間部３９と外周縁側部３７とは、中心を略一致させた同心状とされている。運転者側壁部３５の外径寸法（外周縁部構成パネル６１の外径寸法）Ｄ１は、実施形態の場合、車体側壁部２３（車体側パネル５５）における流入用開口２７の中心Ｃと後縁２４ｄとの離隔距離Ｔ３の２．８倍程度に設定されている（図９参照）。すなわち、運転者側壁部３５の半径は、車体側壁部２３における流入用開口２７の中心Ｃと後縁２４ｄとの離隔距離Ｔ３よりも若干大きな寸法に、設定されている。
【００２５】
車体側壁部２３と運転者側壁部３５との外周縁２４，３５ａ相互を連結する側壁部３０は、膨張完了形状を略円筒状として、膨張完了時の上縁３０ａを、運転者側壁部３５の外周縁３５ａに結合され、膨張完了時の下縁３０ｂを、車体側壁部２３の外周縁２４に結合される構成である。この側壁部３０は、全周にわたって高さ寸法を略一定として構成されている。側壁部３０において、膨張完了時に前面側に配置される領域には、バッグ本体２１内に流入した余剰の膨張用ガスを排気するためのベントホール３１が、略左右対称となる２箇所に、円形に開口して形成されている（図４，１０参照）。
【００２６】
そして、実施形態のバッグ本体２１では、車体側壁部２３が、前後の中央よりも前側となる領域に、ハンドル本体１の中央付近に取り付けられる取付部２８（流入用開口２７）を配設させるとともに、運転者側壁部３５は、外形形状を略円形として、中央側に配置される中央側部３８の外周縁３８ａを、テザー４８によって、取付部２８側に牽引される構成である。そして、車体側壁部２３と運転者側壁部３５との外周縁２４，３５ａ相互を連結させる側壁部３０は、全周にわたって高さ寸法を一定とされている。そのため、実施形態のバッグ本体２１は、図１０に示すように、中央側部３８をインフレーター１１の直上（取付部２８の直上）に位置させるように膨張することから、膨張完了時の前後方向に沿った断面において、取付部２８からテザー４８までの前側の領域の膜長が、取付部２８からテザー４８までの後側の領域の膜長よりも、車体側壁部２３におけるＴ３（流入用開口２７の中心Ｃと後縁２４ｄとの離隔距離）とＴ５（流入用開口２７の中心Ｃと前縁２４ａとの離隔距離）の寸法差分だけ、短くなり（図７参照）、膨張完了時の後端２１ａ側である後端側領域２２が、膨張完了時の前端２１ｂ側の領域よりも、厚肉に膨張することとなる（図１０参照）。
【００２７】
バッグ本体２１内に配置される整流布４５は、図６，７に示すように、バッグ本体２１の膨張完了時に、流入用開口２７の上方を覆うように配設されるとともに、流入用開口２７から流入した膨張用ガスを、前後両側へ整流可能に、前後方向の両端を開口させた略筒形状とされている。実施形態の場合、この整流布４５は、図９に示す整流布用素材７０から、構成されることとなる。整流布用素材７０は、中央側部位７０ａと、中央側部位７０ａから左右に張り出すように形成される略扇形状の左側部位７０ｂ，右側部位７０ｃと、を備える構成とされており、この中央側部位７０ａを、流入用開口２７の周縁（取付部２８）に結合（縫着）させ、左側部位７０ｂと右側部位７０ｃとを、外周縁相互を縫着（結合）させることにより、前後方向側に開口を有した整流布４５を、構成している。
【００２８】
バッグ本体２１内に配置されるテザー４８は、図６，７，１０に示すように、取付部２８側と運転者側壁部３５における中央側部３８の外周縁３８ａ側とを連結するように配置されて、膨張完了時の取付部２８と中央側部３８との離隔距離を規制するもので、実施形態の場合、流入用開口２７を中心として略放射状となる４箇所に、形成されている。詳細には、テザー４８は、帯状とされて、流入用開口２７の左斜め前方、右斜め前方、左斜め後方、及び、右斜め後方の４箇所に、配設されている。テザー４８は、実施形態の場合、図９に示すように、中央側部３８を構成する中央側部構成パネル６３と、テザー用基材７５と、から構成されている。中央側部構成パネル６３は、中央側部３８を構成する略円形の本体部６４と、本体部６４の外縁６４ａから放射状に延びる４本のテザー構成部６５と、を、備える構成とされている。テザー用基材７５は、取付部２８側に結合される略円形の連結部位７６と、連結部位７６の外周縁７６ａから放射状に延びる４本の帯状のテザー構成部７７と、を備えている。連結部位７６には、流入用開口２７と取付孔２８ａとに対応して開口（図符号省略）が、形成されており、連結部位７６は、外周縁７６ａを、全周にわたって流入用開口２７の周縁の取付部２８に、結合される構成である。テザー構成部７７は、中央側部構成パネル６３のテザー構成部６５に対応して、形成されている。そして、実施形態では、各テザー４８は、各テザー構成部６５，７７の先端６５ａ，７７ａ相互を、縫合糸を用いて縫着（結合）させることにより、形成されている（図６，７参照）。このテザー４８は、長さ寸法を、エアバッグ２０の膨張完了時に、中央側部３８を取付部２８側に牽引して、中央側部３８の外周縁３８ａを、外周縁側部３７の内縁３７ａよりも取付部２８側（下側）に位置させるような寸法に、設定されている。
【００２９】
実施形態のバッグ本体２１は、図９に示すように、車体側壁部２３を構成する車体側パネル５５と、運転者側壁部３５を構成する運転者側パネル６０と、側壁部を構成する側壁構成パネル５７と、から構成されている。
【００３０】
車体側壁部２３を構成する車体側パネル５５は、図５，９に示すように、外形形状を、車体側壁部２３と略同一として、上述したごとく、外形形状を、略台形状として構成されている。この車体側パネル５５は、外縁５５ａを、全周にわたって、側壁構成パネル５７の下縁５７ｂと結合されることとなる。車体側パネル５５には、流入用開口２７と取付孔２８ａとが、形成されている。
【００３１】
側壁部３０を構成する側壁構成パネル５７は、車体側パネル５５の外縁５５ａに結合される下縁５７ｂよりも、運転者側パネル６０における外周縁部構成パネル６１の外縁６１ａに結合される上縁５７ａの長さを長くするとともに、幅寸法を一定として、僅かに湾曲した帯状とされている（図９参照）。側壁構成パネル５７における下縁５７ｂの周長は、車体側パネル５５における外縁５５ａの周長と略同一に設定され、上縁５７ａの周長は、外周縁部構成パネル６１の外縁５１ａの周長と略同一に設定されている。この側壁構成パネル５７は、長手方向側の端縁５７ｃ，５７ｄ相互を結合させることにより、筒状の側壁部３０を構成するもので、上縁５７ａを、全長にわたって外周縁部構成パネル６１の外縁６１ａと結合される。側壁構成パネル５７には、ベントホール３１が、形成されている。この側壁構成パネル５７は、幅寸法Ｗ５を、運転者側壁部３５の外径寸法（外周縁部構成パネル６１の外径寸法）Ｄ１の３／５程度に、設定されている（図９参照）。
【００３２】
外周縁部構成パネル６１は、幅寸法を全周にわたって一定とされる略円環状として、外縁６１ａを、側壁構成パネル５７の上縁５７ａと結合され、内縁６１ｂを、全長にわたって中間部構成パネル６７の外縁６７ａと結合される構成である。外周縁部構成パネル６１の内縁６１ｂの周長は、中間部構成パネル６７の外縁６７ａの周長と略同一に設定されている。
【００３３】
中央側部３８を構成する中央側部構成パネル６３は、中央側部３８を構成する略円形の本体部６４と、本体部６４の外縁６４ａから放射状に延びるテザー構成部６５と、を備えている。中央側部構成パネル６３における本体部６４は、外径寸法Ｄ２を、外周縁部構成パネル６１における開口部位の内径寸法ｄ１よりも小さく設定されている（図９参照）。実施形態の場合、本体部６４の外径寸法Ｄ２は、外周縁部構成パネル６１の開口部位の内径寸法ｄ１の７／９程度に設定されている。中央側部構成パネル６３の本体部６４は、外縁６４ａを、中間部構成パネル６７の内縁６７ｂと結合される構成である。この本体部６４の外縁６４ａの周長は、中間部構成パネル６７の内縁６７ｂの周長と略同一に設定されている。
【００３４】
中間部３９を構成する中間部構成パネル６７は、図９に示すように、中央側部３８を構成する本体部６４の外縁６４ａに結合される内縁６７ｂよりも、外周縁側部３７を構成する外周縁部構成パネル６１の内縁６１ｂに結合される外縁６７ａの長さを長くするとともに、幅寸法を略一定として、湾曲した帯状とされている。この中間部構成パネル６７は、長手方向側の端縁６７ｃ，６７ｄ相互を結合させることにより、略円環状の中間部３９を構成している。中間部構成パネル６７における外縁６７ａと内縁６７ｂとの間の幅寸法Ｗ４（図９参照）は、中央側部３８を構成する本体部６４の外径寸法Ｄ２と、外周縁部構成パネル６１の開口部位の内径寸法ｄ１と、の寸法差Ｔ６（平らに展開した状態での外周縁側部３７の内縁３７ａと中央側部３８の外周縁３８ａとの間の離隔距離Ｔ７と一致、図８，９参照）よりも、大きく、かつ、膨張完了時の外周縁側部３７の内縁３７ａと中央側部３８の外周縁３８ａとの間の離隔距離Ｔ８（図６参照）よりも大きな幅寸法に、設定されている。実施形態の場合、中間部構成パネル６７の幅寸法Ｗ４は、平らに展開した状態での外周縁側部３７と中央側部３８との間の離隔距離Ｔ７の７倍程度に、設定されている。そして、中間部構成パネル６７は、内縁６７ｂを、中央側部３８を構成する本体部６４の外縁６４ａに、結合させ、外縁６７ａを、外周縁部構成パネル６１の内縁６１ｂに、結合させることにより、中間部３９を構成していることから、中間部３９は、運転者側壁部３５を平らに展開した状態で、外周縁側部３７と中央側部３８との間から、大きく突出することとなる（図８のＡ参照）。そして、エアバッグ２０の膨張完了時においても、中間部３９は、外周縁側部３７よりも運転者側（上方）に大きく突出するように配設されることとなる（図６，７及び図８のＢ参照）。
【００３５】
次に、エアバッグ２０の車両への搭載について説明する。まず、図示しないボルトを取付孔２８ａから突出させるようにして、内部にリテーナ１０を配置させた状態で、エアバッグ２０を、ケース１２内に収納可能に折り畳む。その後、折り畳んだエアバッグ２０をケース１２に収納させ、インフレーター１１の本体部１１ａを下方から挿入させて、底壁部１２ａから突出させた図示しないボルトとナットとを利用して、インフレーター１１とエアバッグ２０とをケース１２に取り付ける。さらに、ケース１２にエアバッグカバー１４を被せて、リベット１５等を利用して、ケース１２にエアバッグカバー１４を取り付け、その後、ケース１２の取付片１２ｃに図示しないホーンスイッチ機構を組み付ければ、エアバッグ装置Ｍを組み立てることができる。このエアバッグ装置Ｍは、予めシャフトＳＳに締結しておいたハンドル本体１に対して、ホーンスイッチ機構の図示しない取付基板や取付部材等を利用して、取り付ければ、車両に搭載することができる。
【００３６】
実施形態のエアバッグ装置Ｍでは、インフレーター１１のガス吐出口１１ｂから膨張用ガスが吐出されれば、エアバッグ２０が、内部に膨張用ガスを流入させて膨張し、エアバッグカバー１４の扉部１４ｂ，１４ｂを押し開き、ケース１２から突出して、図１，２の二点鎖線及び図１０に示すように、ハンドル本体１の上面を略全面にわたって覆うように、膨張を完了させることとなる。
【００３７】
そして、実施形態のエアバッグ２０では、乗員側壁部としての運転者側壁部３５において、中央側に配設される中央側部３８が、膨張完了時に、外周縁３８ａを、外周縁３５ａ側に配設される外周縁側部３７の内縁３７ａよりも、取付部２８側に位置させるようにして、配設されることとなる。すなわち、実施形態のエアバッグ２０では、運転者側壁部３５において、中央側部３８と外周縁側部３７との間に配置される中間部３９が、内縁３９ｂ側を外縁３９ａ側より下方に配置させて、内縁３９ｂと外縁３９ａとの間を運転者ＭＤ側（上方）に膨らませることとなる。このような膨張状態の中間部３９が運転者ＭＤの頭部ＭＨを受け止める際には、内縁３９ｂと外縁３９ａとの間を運転者ＭＤ側に膨らませた状態から、取付部２８側に凹ませる状態となるが、運転者側壁部３５の中央から外周側への断面形状を見れば、中間部３９の内縁３９ｂと外縁３９ａとの間に、皺を生じるように凹ませる挙動となり（図８のＢ参照）、エアバッグ２０自体の内圧に対抗して、中間部３９を凹ませるだけで、中間部３９自体にその膜長を広げるような張力を発揮させ難いことから、小さな反力として、乗員としての運転者ＭＤの頭部ＭＨを受け止めることができる。一方、図１１のＡに示すように、膨張完了時のエアバッグ２０の外周縁側部３７で運転者ＭＤの胸部ＭＢを受ける場合には、外周縁側部３７を膨らませた状態を取付部２８側に凹ませる挙動は、外周縁側部３７の外径寸法を広げる挙動となって、エアバッグ２０自体の内圧に対抗するととともに、外周縁側部３７の外縁側（運転者側壁部３５の外周縁３５ａ側）の膜長を円周方向に沿って広げる反力が加わり、大きな反力によって、運動エネルギーの高い運転者ＭＤの胸部ＭＢを受け止めることができる。
【００３８】
したがって、実施形態のエアバッグ２０では、運転者ＭＤの頭部ＭＨをソフトに保護することができ、そして、運動エネルギーの高い運転者ＭＤの胸部ＭＢ等の上半身を的確に保護できる。
【００３９】
また、実施形態のエアバッグ２０では、中間部３９（中間部構成パネル６７）が、幅寸法Ｗ４を、膨張完了時の外周縁側部３７の内縁３７ａと中央側部３８の外周縁３８ａとの間の離隔距離Ｔ８よりも、大きな寸法に、設定されていることから、エアバッグの膨張完了時に、中間部３９が、外周縁側部３７と中央側部３８との間において、円環状に上方への突出量を大きくでき、運転者ＭＤの頭部ＭＨの受止時の受止ストロークを大きく確保できて、前進移動する運転者ＭＤの頭部ＭＨを、上方に突出している中間部３９によって、一層ソフトに受け止めることができる。特に、実施形態のエアバッグ２０では、中間部３９は、幅寸法Ｗ４を、平らに展開した状態の外周縁側部３７と中央側部３８との間の離隔距離Ｔ７の７倍程度として、大きく設定されていることから、中間部３９を、外周縁側部３７及び中央側部３８から大きく突出させることができ、また、中間部３９は、領域内にしわを生じさせるように配置されることから、運転者ＭＤの頭部ＭＨを、ソフトに、かつ、安定して保護することができる。実施形態では、膨張完了時のエアバッグ２０において、外周縁側部３７の内縁３７ａと中央側部３８の外周縁３８ａとの間の前後方向側での離隔距離Ｔ８は、外周縁側部３７の内縁３７ａと中央側部３８の外周縁３８ａとの間の上下方向側での離隔距離Ｔ９よりも、大きく設定されている（図６参照）。
【００４０】
なお、このような点を考慮しなければ、図８のＢの二点鎖線に示すごとく、中間部３９´の幅寸法Ｗ４を、離隔距離Ｔ８と略同一の寸法に設定する構成としてもよい。このように構成する場合、中間部３９´は、外周縁側部３７と中央側部３８とをなだらかに結ぶように配置されることとなる。
【００４１】
実施形態のエアバッグ２０では、中間部３９は、円環状として、図１１のＢに示すように、前進移動する運転者ＭＤの頭部ＭＨに対応した位置に配置される構成であり、前進移動する運転者ＭＤの頭部ＭＨを円滑に保護することができる。また、この中間部３９は、図示しない腰部をシートベルトに拘束された状態で腰部を起点として前方に倒れ込むように移動してくる運転者ＭＤの頭部ＭＨも、図１１のＡに示すように、的確に受け止めることができる。
【００４２】
また、実施形態のエアバッグ２０では、バッグ本体２１が、車体側壁部２３と、運転者側壁部３５と、車体側壁部２３と運転者側壁部３５との外周縁２４，３５ａ相互を連結する側壁部３０と、を有して、膨張完了形状を略柱状とされている。そのため、運転者受止時、側壁部３０が、外径寸法を広げるように膨らんで、エアバッグ２０における運転者ＭＤの運動エネルギーの吸収量を増加させることができて、運転者ＭＤの上半身全体を、的確に拘束することができる。なお、このような点を考慮しなければ、エアバッグとして、外形形状を略円形とした車体側壁部と運転者側壁部との外周縁相互を結合させた構成のものを、使用してもよい。
【００４３】
特に、実施形態では、略柱状に膨張したエアバッグ２０が、ハンドル本体１を上方から見た状態で、ハンドル本体１から後方へ大きく突出するように配置される構成であり（図１の二点鎖線参照）、側方から見た状態では、後端２１ａ側をハンドル本体１より大きく後方に突出させるようにして、ハンドル本体１の後端１ａよりも下方に突出する領域を有する構成である。そのため、膨張完了後のエアバッグ２０の運転者側壁部３５が、前進移動する運転者ＭＤを受け止めて、運転者ＭＤに押圧されて移動することとなっても、ハンドル本体１の後端１ａよりも下方に突出している後端側領域２２（後端２１ａ側の部位）を、図１１のＢに示すように、膨張した状態で、ハンドル本体１の後端１ａと運転者ＭＤの腹部ＭＡとの間に的確に介在させることができて、運転者ＭＤの腹部ＭＡを的確に保護することができる。
【００４４】
実施形態のエアバッグ２０を搭載するハンドルＨでは、操舵時に把持する把持部ＧＬ，ＧＲが、ボス部Ｂの左右両側のみに配置される構成であり、換言すれば、把持部は、ボス部Ｂの前側には配置されない構成である。そのため、膨張完了時のバッグ本体２１において、ボス部Ｂより前側に配置される前端２１ｂ側の部位は、運転者ＭＤを受け止めた際のハンドル本体１側からの反力を確保できない。しかしながら、実施形態のバッグ本体２１は、略柱状に厚肉に膨張することから、前進移動する運転者ＭＤの上半身を、運転者側壁部３５によって受け止めた際に、運転者側壁部３５が、運転者ＭＤによって押圧されて上下方向に略沿うように移動しつつ、部分的に圧縮されることにより、バッグ本体２１における前端２１ｂ側の部位が、さらに厚肉となって、前進移動する運転者ＭＤの頭部ＭＨを、この厚肉の部位で保護することができる（図１１のＢ参照）。そのため、前側の領域に把持部を備えない構成のハンドル本体１に搭載する構成であっても、前端２１ｂ側の部位によって、前進移動する運転者ＭＤの頭部ＭＨを的確に拘束することができる。すなわち、実施形態のエアバッグ２０は、円環状のリング（把持部）を備える一般的なハンドル（ステアリングホイール）と比較して、前側の領域と後側の領域とを切り欠かれるようにして、前後方向側の幅寸法を小さく設定されるハンドルＨに搭載する構成であっても、運転者ＭＤの腹部ＭＡと頭部ＭＨとを、的確に拘束することができる。
【００４５】
実施形態のエアバッグ２０は、操舵時に把持するハンドルＨに搭載されて、膨張完了時に、ハンドルＨの上面を略全面にわたって覆う構成とされていることから、膨張を完了させたエアバッグ２０によって、乗員としての運転者ＭＤの頭部ＭＨを胸部ＭＢとを、円滑に受け止めることができる。なお、実施形態では、エアバッグとして、ハンドル用のエアバッグ装置に使用されるものを例示しているが、本発明のエアバッグは、ハンドル用のエアバッグに限定されるものではない。本発明のエアバッグは、例えば、助手席に着座した乗員の前方に配置されるミッドマウントタイプの助手席用エアバッグ装置用のエアバッグにも、適用可能であり、さらには、側壁部の長さ寸法を変更させる構成とすれば、乗員側壁部を上下方向に略沿わせるように膨張するトップマウントタイプの助手席用エアバッグにも、適用可能である。
【符号の説明】
【００４６】
２０…エアバッグ、２１…バッグ本体、２３…車体側壁部、２８…取付部、３０…側壁部、３５…運転者側壁部、３７…外周縁側部、３７ａ…内縁、３８…中央側部、３８ａ…外周縁、３９…中間部、３９ａ…外縁、３９ｂ…内縁、４８…テザー、Ｈ…ハンドル、Ｍ…エアバッグ装置。
【図１】
2020164000.tif 000003
【図２】
2020164000.tif 000004
【図３】
2020164000.tif 000005
【図４】
2020164000.tif 000006
【図５】
2020164000.tif 000007
【図６】
2020164000.tif 000008
【図７】
2020164000.tif 000009
【図８】
2020164000.tif 000010
【図９】
2020164000.tif 000011
【図１０】
2020164000.tif 000012
【図１１】
2020164000.tif 000013